(57)【要約】【課題】  公園や庭園等で樹木と遊歩道とを同時に照らす照明器具において、消費電力の低減を図り、効率良く樹木と遊歩道とを同時に照らすことを課題とする。【解決手段】  筒状の筐体１０内の上方に設けられた単一の光源２０と、該光源２０の周囲に設けられて該光源２０から放射される光を筐体１０の下方へ向けて集光する集光部材２１と、該筐体１０の背部に設けられた第１光投射口１０ａと、該筐体１０の前部に設けられた第２光投射口１０ｂと、該集光部材２１により集光される光の集光領域Ｄ内に配置されて該光源２０からの直接光の光軸Ｌ方向の成分と、該光源２０から該集光部材２１を介して集光される間接光とから成る主要光を、該第１光投射口１０ａへ向けて反射する第１反射部材３と、該集光領域Ｄ外に配置されて該光源２０からの主要光以外の洩れ光を該第２光投射口１０ｂへ向けて反射する第２反射部材４とを備えた照明器具１とする。【選択図】図６
2005005254.tif 000002
【特許請求の範囲】
【請求項１】
筒状の筐体内の筒軸芯方向一側部に設けられた単一の光源と、該光源の周囲に設けられて、該光源から放射される光を筐体の筒軸芯方向他側へ向けて集光する集光部材と、を具備する照明手段と、
該筐体の筒軸芯周りの一側部に設けられた第１光投射口と、
該筐体の筒軸芯周りの他側部に設けられた第２光投射口と、
該集光部材により集光される光の集光領域内に配置されて、該光源から照射される直接光の光軸方向の成分と、該光源から該集光部材を介して集光される間接光とから成る主要光を、該第１光投射口へ向けて反射する第１反射部材と、
該集光領域外に配置されて、該光源から照射される主要光以外の洩れ光を該第２光投射口へ向けて反射する第２反射部材と、
を備えたことを特徴とする照明器具。
【請求項２】
前記第１反射部材を回動可能に構成したことを特徴とする請求項１に記載の照明器具。
【請求項３】
前記第１反射部材の回動支点を前記集光領域内における集光焦点位置付近に配置したことを特徴とする請求項２に記載の照明器具。
【請求項４】
前記第２光投射口と、前記第２反射部材とを、該第２光投射口の奥行方向でラップするように配置したことを特徴とする請求項１から請求項３のうち何れか一項に記載の照明器具。
【請求項５】
前記第２反射部材の反射面を凸曲面で形成したことを特徴とする請求項１から請求項４のうち何れか一項に記載の照明器具。
【請求項６】
前記筐体内において、前記照明手段の第１光投射口側における、前記第１反射部材を介して反射される反射光の反射領域外に、障蔽部材を設けたことを特徴とする請求項１から請求項５のうち何れか一項に記載の照明器具。
【請求項７】
筒状の形状を有し、光を透過することが可能な光透過部材と、
上記光透過部材の筒軸心周りの一側部に設けられた第３光投射口と、
上記光透過部材の筒軸心方向一側部に設けられた光源である照明手段と、
上記光透過部材の筒軸心方向他側に設けられ、上記照明手段より放射された光を反射するための第３反射部材と、
を具備することを特徴とする照明器具。
【請求項８】
前記筒状の形状を有する光透過部材の側面は、半透明加工されてなる、又は、樹脂若しくはガラス等より成る半透明材料によって形成されてなる請求項７記載の照明器具。
【請求項９】
前記第３反射部材は、反射面を２面有し、２面のうち一つは散光用で、残りの一つは集光用である請求項７、又は請求項８のいずれかに記載の照明器具。
【発明の詳細な説明】
【技術分野】
【０００１】
本発明は、例えば、公園や庭園等で樹木と遊歩道とを同時に照らす照明器具に関し、１つの光源で少なくとも２方向を同時に照らす照明器具の構成に関する。
【背景技術】
【０００２】
従来より、公園や庭園等で樹木と歩道とを同時に照らす照明器具が知られており、これらの照明器具は２つの光源を備えて、一方の光源で樹木をライトアップするとともに、もう一方の光源で歩道を照らすように構成されていた。
その後、１つの光源で樹木と歩道とを同時に照らす照明器具も発案されており、例えば、特開昭６３−１０２１０１号公報（特許文献１）や、実用新案登録第２５３８９１０号公報（特許文献２）で開示されている。
【０００３】
特開昭６３−１０２１０１号公報（特許文献１）の照明器具は、同号公報の図１に示すように、樹木２の近傍に据え付けられて、略真上に直接光を投射して樹木を照らすとともに、側方に間接光を投射して歩道を照らすように構成されている。
【０００４】
詳しくは、同号公報の図２に示すように、照明器具３のケーシングである本体４は、上方が開口された筒状の構成で、該本体４の一側面上部に窓部５が開口されている。本体４の内底部にはベース６が固設されており、該ベース６の上面に安定器ボックス７が取り付けられて、該安定器ボックス７より上方へ突出するようにしてソケット８が取り付けられ、該ソケット８に光源９（例えば、１００ワットの高圧水銀ランプ）が装着されている。また、本体４の内部には、光源９の上方で、窓部５に対応する位置に、反射鏡１０が角度調整自在に取り付けられている。この反射鏡１０は一部の光を反射するとともに、一部の光を透過させる半透過型の鏡で構成されていて、光源９からの光は、該反射鏡１０を介して、上方へ透過される光と、側方へ反射される光とに分配されるように構成されている。また、反射鏡１０は角度調整自在に構成されており、歩道を照らす光については、照明器具３の近傍からやや離れた位置まで調整自在に構成されている。
【０００５】
また、実用新案登録第２５３８９１０号公報（特許文献２）の照明器具は、同号公報の図１及び図２に示すように、有底円筒状のケーシング１内の底蓋１ａに、正面視、略上向き「コ」の字状の取付けフレーム２が立設され、該取付けフレーム２の左右の鉛直フレーム部分２Ａ・２Ｂに、ランプソケット３及び表面が反射面に形成された円錐台状のソケットカバー４をともに支持する第１ブラケット５と、安定器６に付設された支持部材７とが取り付けられるとともに、前記ランプソケット３には、単一の光源である放電ランプ８を着脱自在に装着され、さらに、前記ケーシング１の筒軸芯方向一側部である上部に第１光投射口９が形成されるとともに、該ケーシング１の筒軸芯周りの横側部に第２光投射口１０が形成されている。
【０００６】
そして、ケーシング１内に位置する取付けフレーム２の上部には、放電ランプ８の上側部分に外套して当該放電ランプ８から放射される光を第１光投射口９に向けて反射する碗状の第１反射板１５が第１ネジ１６を介して取り付けられるとともに、ソケットカバー４の上面で、かつ、放電ランプ８の直後方に位置する部分には、放電ランプ８の幅よりも小なる横幅に形成されたアングル材１７が取り付けられ、該アングル材１７に、放電ランプ８から放射される光を第２光投射口１０に向けて反射する第２反射板１８が第２ネジ１９を介して取り付けられている。
この第１反射板１５による反射作用領域と第２反射板１８による反射作用領域との境界Ｘは、放電ランプ８の筒軸芯方向中間位置、すなわち、放電ランプ８の上下中間位置に設定されている。
【０００７】
このような構成で、放電ランプ８からの光は、上方へ投射される光と、側方へ投射される光とに分配され、両反射板１５・１８による反射作用領域の境界Ｘが単一の光源である放電ランプ８の筒軸芯方向中間位置に位置するから、第１光投射口９からは直射光と第１反射板１５からの反射光とが投射されて、また、第２光投射口１０からは同じく直射光と第２反射板１８からの反射光とが投射されることになる。また、第１光投射口９から投射される光と第２光投射口１０から投射される光との配光率を照明条件に応じて設計変更する場合でも、両反射板１５・１８の反射作用領域の境界Ｘを放電ランプ８に対して筒軸芯方向に沿って変更することにより、第１光投射口９及び第２光投射口１０からの光投射方向の変動を抑制することができるようになっている。
【０００８】
また、同号公報の図６には、前記第１反射板１５を、取付けフレーム２の両鉛直フレーム部分２Ａ・２Ｂに対して第１ネジ１６の軸芯回りで回動調節自在で、かつ、該第１ネジ１６が挿入される取付けフレーム２側の長孔２ａの範囲内で上下方向に取付け位置調節自在に構成し、前記ソケットカバー４に付設した取付け片２２に、前記第２反射板１８に連設した取付け片２３を水平軸芯回りで回動調整自在に第３ネジ２４を介して取り付けた実施例が開示されている。この実施例の場合、第１反射板１５の回動調整操作、及び第２反射板１８の回動調整操作によって、第１光投射口９及び第２光投射口１０からの光投射方向を調節することができるようになっている。
なお、この発明は本願と同出願人によって出願されている。
【０００９】
【特許文献１】特開昭６３−１０２１０１号公報
【００１０】
【特許文献２】実用新案登録第２５３８９１０号公報
【発明の開示】
【発明が解決しようとする課題】
【００１１】
以上のように、どちらの公報の照明器具も、単一の光源からの光が２方向に分配されて、一部の光が上方へ投射され、一部の光が側方へ投射されて、１つの光源で樹木と歩道とを同時に照らすように構成されており、この結果、樹木用と歩道用との２つの光源を備えた照明器具に比べて、光源数が減り、消費電力が低く抑えられている。
【００１２】
しかしながら、前記公報の照明器具では、単一の光源からの光を２方向に分配しているために、該１つの光源の出力（ワット数）は比較的高めに設定しておく必要がある。
【００１３】
例えば、樹木用と歩道用との２つの光源を備えた照明器具において、樹木へ向けて投射する光源にはＮ（ルーメン）の光束の光源が用いられているとする。
また、前記公報の照明器具においては、その単一の光源から、７割の光が上方へ投射され、３割の光が側方へ投射されるようになっているとする。
この場合、前記公報の照明器具を用いて、樹木にＮ（ルーメン）の光束で照明を当てたいとすれば、その単一の光源は、Ｎ÷０．７≒１．４３Ｎ（ルーメン）の光束の光源としておく必要がある。つまり、該単一の光源のワット数は、２つの光源を備えた照明器具の樹木用の光源のワット数に比べて、高く設定しておく必要がある。
そこで、本発明では、この点を鑑みて、さらに消費電力を抑えて、効率良く異なる２方向を照らす照明器具を提供することを第１の課題とする。
【００１４】
また、前記公報の照明器具は、樹木への照明は、筒状の本体内の光源から略真上に照らすように構成されているために、設置場所が制限されてしまう。すなわち、前記公報の照明器具は、樹木の真下付近に配置しなければならず、鬱蒼とした樹木では真下から照らすと、薄気味悪く感じる場合もある。このようなことからも、樹木に対する設置場所や照明方向は自由度を持たせたいものであり、この点を第２の課題とする。
【課題を解決するための手段】
【００１５】
本発明の解決しようとする課題は以上の如くであり、この課題を解決するための手段は、次に示すとおりである。
まず、請求項１に記載のように、筒状の筐体内の筒軸芯方向一側部に設けられた単一の光源と、該光源の周囲に設けられて、該光源から放射される光を筐体の筒軸芯方向他側へ向けて集光する集光部材と、を具備する照明手段と、該筐体の筒軸芯周りの一側部に設けられた第１光投射口と、該筐体の筒軸芯周りの他側部に設けられた第２光投射口と、該集光部材により集光される光の集光領域内に配置されて、該光源から照射される直接光の光軸方向の成分と、該光源から該集光部材を介して集光される間接光とから成る主要光を、該第１光投射口へ向けて反射する第１反射部材と、該集光領域外に配置されて、該光源から照射される主要光以外の洩れ光を該第２光投射口へ向けて反射する第２反射部材と、を備えた照明器具とする。
【００１６】
また、請求項２に記載のように、前記第１反射部材を回動可能に構成する。
【００１７】
そして、請求項３に記載のように、前記第１反射部材の回動支点を前記集光領域内における集光焦点位置付近に配置する。
【００１８】
さらに、請求項４に記載のように、前記第２光投射口と、前記第２反射部材とを、該第２光投射口の奥行方向でラップするように配置する。
【００１９】
そして、請求項５に記載のように、前記第２反射部材の反射面を凸曲面で形成する。
【００２０】
最後に、請求項６に記載のように、前記筐体内において、前記照明手段の第１光投射口側における、前記第１反射部材を介して反射される反射光の反射領域外に、障蔽部材を設ける。
【００２１】
請求項７においては、筒状の形状を有し、光を透過することが可能な光透過部材と、
上記光透過部材の筒軸心周りの一側部に設けられた第３光投射口と、
上記光透過部材の筒軸心方向一側部に設けられた光源である照明手段と、
上記光透過部材の筒軸心方向他側に設けられ、上記照明手段より放射された光を反射するための第３反射部材と、
を具備することを特徴とする照明器具として構成されている。
【００２２】
請求項８においては、前記筒状の形状を有する光透過部材の側面は、半透明加工されてなる、又は、樹脂若しくはガラス等より成る半透明材料によって形成されてなる照明器具として構成されている。
【００２３】
請求項９においては、前記第３反射部材は、反射面を２面有し、２面のうち一つは散光用で、残りの一つは集光用である照明器具として構成されている。
【発明の効果】
【００２４】
本発明は、以上のように構成したので、次に示すような効果を奏する。
まず、請求項１に記載の発明の照明器具では、光源から全方位・全方向に放射される光の大部分は、集光部材を介して筒軸芯方向他側へ集光され、この光源からの直接光の光軸方向の成分と、光源から集光部材を介して集光される間接光とから成る主要光は、第１反射部材で反射されて、樹木等へ向けて投射されるように構成されている。すなわち、光源から全方位・全方向に放射される光の大部分は、主要光としてそのまま樹木等に向けて照射されて、該樹木等が明るく照らされ、また、このとき該光源２０から照射される主要光以外の洩れ光は第２反射部材４で反射されて、歩行者の足元がやわらかく照らされるように構成されている。
以上のように、この照明器具は、光源からの主要光によって、専ら樹木を照らすとともに、このとき該主要光以外の洩れ光を利用して、歩行者の足元を照らすことで、異なる２方向を効率良く照らすことができ、該光源の出力（ワット数）を低く抑えることができて、消費電力が低減され、省エネルギー化を図ることができる。
また、この結果、ランニングコストが下がり、コスト的にも有利となる。
【００２５】
また、請求項２に記載のように、前記第１反射部材を回動可能に構成することで、樹木が成長したときなども、照明器具の設置場所を変更することなく、該第１反射部材を調節するだけで、該第１反射部材を介しての樹木への照射方向を容易に変えることができる。また、照明器具の設置場所についても、樹木の真下付近に限らず、樹木からやや離れた位置に設置することもでき、樹木に対する設置場所や照明方向の自由度が向上する。
【００２６】
そして、請求項３に記載のように、前記第１反射部材の回動支点を前記集光領域内における集光焦点位置付近に配置することで、第１反射部材の反射面上で集光される光の集光面積が小さくなり、第１反射部材のコンパクト化を図ることができる。また、反射面上での集光面積が小さくなるということは、光源からの光が密に集光されているということであり、この結果として、光源からの光をより遠方まで反射することができ、樹木をより一層艶やかに照らすことができて、照明効果の向上を図ることができる。
【００２７】
さらに、請求項４に記載のように、前記第２光投射口と、前記第２反射部材とを、該第２光投射口の奥行方向でラップするように配置することで、第２光投射口側にいる人からは、該第２光投射口を通じて、該第２反射部材等により筐体内の構造体が見えないように隠すことができ、視覚を通じて美感を起こさせるようになって、デザイン性が向上する。
【００２８】
そして、請求項５に記載のように、前記第２反射部材の反射面を凸曲面で形成することで、比較的広範囲に向けて洩れ光が拡散するように反射され、歩行者の目の位置に反射するグレアを抑制することができる。
【００２９】
そうして、請求項６に記載のように、前記筐体内において、前記照明手段の第１光投射口側における、前記第１反射部材を介して反射される反射光の反射領域外に、障蔽部材を設けることで、該障蔽部材と該照明手段とは、第１光投射口の奥行方向でラップするように配置されて、照明器具を第１光投射口側から見たときに、該障蔽部材によって該照明手段の大部分が隠され、また、筐体内の構造体が露骨に見えないように構成されて、視覚を通じて美感を起こさせるようになり、デザイン性が向上する。
また、この障蔽部材は第１反射部材を介して反射される反射光の経路を遮ることのないように配置されている。
さらに、この障蔽部材によって、光源から照射される主要光以外の洩れ光の一部が遮られ、仮に歩行者が照明器具の背面に回ることがあっても、主要光以外の洩れ光が歩行者の目の位置にグレアとして射さないように構成されている。
【００３０】
請求項７の構成により、２方向に光を照射する場合に、照明手段より発せられた光のうちの漏れ光が、光透過部材を透過して、照明器具の下方を明るく照射することが可能となる。
即ち、漏れ光を利用して、照明器具の下方を明るく照射することが可能となる。
【００３１】
請求項８の構成により、照明器具内部の構成を外部に示すことを防いで、照明器具の美感を損なうことなく、照明手段より発せられた光を外部へ照射できる。
【００３２】
請求項９の構成により、照明器具の使用者の好みや目的に応じて、第３反射部材による反射光を散光又は集光するかを、２つの反射面を選択を選択することによって可能としているので、多彩な照明効果を演出することが可能となる。
【発明を実施するための最良の形態】
【００３３】
以下に、本発明の実施の一形態を、図面を参照しながら説明する。
図１は照明器具１の左側面図、図２は同じく正面図、図３は同じく背面図、図４は同じく平面図、図５は同じく底面図、図６は同じく左側面断面図、図７は同じく背面断面図、図８は集光領域Ｄを説明するための照明器具１の左側面断面図、図９は主要光と洩れ光の照射方向を説明する照明器具１の左側面断面図、図１０は同じく左側面図、図１１は同じく平面図、図１２は照明器具１の本体と筐体１０との取り外しを説明する図、図１３は第１反射部材３の回動機構の構成を示す左側面図、図１４は照明器具１ａを正面、及び右側面から見た概略構成図、図１５は照明器具１ａにおける光の照射範囲の概略を示した照射範囲図、図１６は第３反射部材６４の概略構成を示した概略構成図である。
なお、以下の説明では、便宜上、図１に示す矢印Ｆの方向を照明器具１の前方として、各構造体の前後・左右位置を説明するものとする。また、他の図面における各構造体の前後・左右位置についても、これに倣うものとする。
【００３４】
図１乃至図３に示すように、照明器具１は左右対称に形成されており、その本体は、筒状の筐体１０で被装されている。
本実施の形態では、図４及び図５に示すように、筐体１０は略円筒状に構成されているが、この筐体は角筒状や、側面視が台形状となる筒等に構成してもよく、特にその構成は限定しないものとする。
【００３５】
図５（ａ）に示すように、本体の基部１１の底面には、少なくとも３箇所にボルト穴１１ｃ・１１ｃ・・・が形成されており、該ボルト穴１１ｃ・１１ｃ・・・にはアンカーボルトが螺入されて、該アンカーボルトを介して照明器具１が路面等に据え付けられるように構成されている。
なお、この基部１１は、図５（ｂ）（ｃ）に示すように、基部中心体１１ａに対してその周りの基部フレーム部１１ｂが左右回動可能に構成されており、路面等に据え付けた後、照明器具１からの照明方向を左右に調節できるように構成されている。
【００３６】
また、図６及び図７に示すように、本体の基部１１には、略軸芯中央にインバータ等を内蔵した安定器６が立設されている。また、該基部１１には安定器６の左右両側から側部フレーム１２・１２が立設されており、該側部フレーム１２・１２の上端部間に上部フレーム１３が架設されて、該上部フレーム１３の左右中央から照明手段２が垂設されている。
【００３７】
詳しくは、図６に示すように、照明手段２の上端部は、上部フレーム１３に、筐体１０の筒軸芯位置からやや前方（第２反射部材１２側）へずらした位置に取り付けられており、該照明手段２の下部に取り付けられた光源２０が略筐体１０の筒軸芯位置に配置されて、照明手段２は上部フレーム１３から斜下方（後方下方）へ向けて垂設されている。
【００３８】
このような構成で、照明手段２は、上部フレーム１３に、筒軸芯方向に対して斜めに傾けた状態で取り付けられており、この構成では、上部フレームから真下に照明手段を垂設する構成に比べて、筐体１０の高さが抑えられ、照明器具１のコンパクト化を図ることができる。
【００３９】
図６及び図８に示すように、照明手段２は、筐体１０内の上部（筒軸芯方向一側部）に設けられた単一の光源２０と、該光源２０の下方（筒軸芯方向他側）以外の周囲に設けられて、該光源２０から放射される光を筐体１０の下方（筒軸芯方向他側）へ向けて集光する集光部材２１と、を備えている。集光部材２１は椀状に形成されており、該集光部材２１の椀内に光源２０が配置されている。この集光部材２１の椀内の凹曲面を反射面として、該反射面で光源２０から放射される光の一部が下方へ向けて反射されるように構成されている。この集光部材２１で反射された間接光は、光源２０からの直接光の光軸Ｌ方向の成分とともに斜下方へ向けて集光されるようになっており、すなわち、該光源２０からの光の大部分は斜下方へ向けて照射されるように構成されている。
【００４０】
また、筐体１０の背部（筒軸芯周りの一側部）における上部位置（筒軸芯方向一側部位置）には第１光投射口１０ａが設けられており、該筐体１０の前部（筒軸芯周りの他側部）における下部位置（筒軸芯方向他側部位置）には第２光投射口１０ｂが設けられている。
この第１光投射口１０ａと第２光投射口１０ｂには、それぞれアクリルやガラス等の透明部材１５、１６が取り付けられており、筐体１０内に雨水や塵挨等が浸入しないように密閉されている。
【００４１】
図８は、集光部材２１によって集光される、光源２０からの光の集光領域Ｄを示し、図９に示すように、該集光領域Ｄ内に、該光源２０から照射される直接光の光軸Ｌ方向の成分と、該光源２０から該集光部材２１を介して集光される間接光とから成る主要光（光源２０から全方位・全方向に放射される光の大部分）を、第１光投射口１０ａへ向けて反射する第１反射部材３が回動可能に設けられている。この第１反射部材３はプレート状の部材で、上面（照明手段２側の面）に反射面３ｂが形成されており、筐体２内の後半部の上下中央部に配置されて、該第１反射部材３の回動支点軸３１は集光領域Ｄ内における集光焦点位置Ｚ付近に、軸芯を左右水平方向（筐体１０の筒軸芯方向と光源２０からの光軸Ｌ方向との双方に直交する方向）に向けて配置されている。
【００４２】
この第１反射部材３の回動支点軸３１を集光領域Ｄ内における集光焦点位置Ｚ付近に配置することで、第１反射部材３の反射面３ｂ上で集光される光の集光面積が小さくなり、第１反射部材３のコンパクト化を図ることができる。この配置構成では、反射面３ｂ上での集光面積が小さくなり、第１反射部材３の反射面３ｂを小面積としながらも、該第１反射部材３を大きく回動することができ、その結果、光源２０からの主要光を広範囲に反射することができて、樹木に対して所望の角度で反射光を当てることができ、照明効果の向上を図ることができる。
【００４３】
さらに言えば、斜めに傾けた状態で取り付けられた照明手段２の光源２０から主要光は、第１反射部材３に向けて斜下方へ照射されて、該第１反射部材３で該主要光を斜め上方へ向けて反射されるように構成されている。つまり、このように照明手段２を斜めに傾けて取り付けることで、筐体１０内の狭いスペースを有効に利用しつつ、第１反射部材３を介して反射光を斜上方へ向けて上手く取り出すことができるようになっている。
【００４４】
なお、この第１反射部材３の配置位置は、集光領域Ｄ内において、ある程度の範囲内で自由に選定することができ（例えば、図８の２点鎖線で示す第１反射部材３参照）、光源２０からの主要光を第１光投射口１０ａへ向けて反射するように配置されていれば、その配置位置は特に限定はしないものとする。
【００４５】
この第１反射部材３の回動機構であるが、該第１反射部材３の回動機構は、第１反射部材２に取り付けた被押圧手段と、第１反射部材３を回動方向における一方向に付勢する付勢手段と、該被押圧手段に対して進退させて、該被押圧手段に反付勢方向に押圧する押圧手段とを備えている。
【００４６】
具体的には、図６、図７及び図１３に示すように、被押圧手段は第１反射部材３の下面（筒軸芯方向他側の面）に取り付けられた被押圧板３４であり、付勢手段は第１反射部材３の回動支点軸３１に巻回されたトーションスプリング３５であり、押圧手段は調節ネジ３６であり、該調節ネジ３６は安定器６の背面に取り付けられたブラケット３９に支持されて、該調節ネジ３６の先端（上端）の押圧部３５ｂを被押圧板３５に当接させている。
【００４７】
ブラケット３９は、側面視、略「Ｖ」字を寝かせた形状で、その上腕部３９ａと下椀部３９ｂにネジ穴３９ｃ・３９ｄが形成されて、該ネジ穴３９ｃ・３９ｄに調節ネジ３６が螺入されている。
調節ネジ３６は、上腕部３９ａのネジ穴３９ｃと下椀部３９ｂのネジ穴３９ｄとにより支持されて、第１反射部材３の回動支点軸３１付近から斜め下方（後方下方）に向けて配置され、該調節ネジ３６はその軸方向（図６に示す側面視では、斜め方向）に進退するように構成されている。
トーションスプリング３５は、第１反射部材３の回動支点軸３１を図１３に示す側面視で反時計方向に付勢しており、該第１反射部材３の下面の被押圧板３４と調節ネジ３６の押圧部３６ｂとが当接するように構成されている。
【００４８】
以上のような構成で、調節ネジ３６の頭部３６ａを右ネジ方向に回すことで、該調節ネジ３６が斜上方（前方上方）へ移動し、該調節ネジ３６の押圧部３６ｂが、被押圧板３４を押し上げて、これにより、第１反射部材３が、図１３に示す側面視で、時計方向に回動する。
また、調節ネジ３６の頭部３６ａを反右ネジ方向に回すと、該調節ネジ３６が斜下方（後方下方）へ移動し、該調節ネジ３６の押圧部３６ｂが斜下方へ退避しながらトーションスプリング３５の復元力によって、第１反射部材３が、図１３に示す側面視で、反時計方向に回動する。
【００４９】
以上のような構成で、本実施の形態では、第１反射部材３の回動機構を手動式に構成しているが、モータ等のアクチュエータを用いて電動式に構成してもよく、該第１反射部材３の回動機構の構成は特に限定はしないものとする。
【００５０】
また、この第１反射部材３は左右回動可能に構成してもよく、あるいは、光源２０からの光軸Ｌ方向（若しくは筐体１０の筒軸芯方向）で移動可能に構成してもよい。さらに、この第１反射部材３は、前後方向の回動機構と、左右方向の回動機構と、光軸Ｌ方向（若しくは筐体１０の筒軸芯方向）との移動機構のうち、少なくとも２つの機構を備えた構成としてもよく、光源２０からの光の反射方向を調節する構成は特に限定はしないものとする。
【００５１】
このように第１反射部材３を調節可能に構成して、光源２０からの光の反射方向を調節できるようにしておくことで、樹木５０が成長したときなども、照明器具１の設置場所を変更することなく、該第１反射部材３を調節するだけで、該第１反射部材３を介しての樹木５０への照射方向を容易に変えることができる。また、図１０に示すように、照明器具１の設置場所についても、樹木５０の真下付近に限らず、樹木５０からやや離れた位置に設置することもでき、樹木５０に対する設置場所や照明方向の自由度が向上する。
【００５２】
以上のように、本発明に係る照明器具１は樹木５０からある程度離れた範囲内で自由に設置することができるとともに、第１反射部材３を回動することで、該第１反射部材３を介しての樹木５０への照射方向を略水平方向から斜め上方に約７０〜８０度の範囲で広角に変更することができる。これにより、樹木５０に対して効果的に照明が当たるように調整することができて、樹木５０をより一層艶やかに照らすことができ、照明効果の向上を図ることができる。
【００５３】
また、図６及び図７に示すように、筐体１０内には照明手段２の後方（第１光投射口１０ａ側）に障蔽部材１７が設けられており、該障蔽部材１７は側部フレーム１２・１２間に取り付けられている。
詳しくは、障蔽部材１７は側部フレーム１２・１２の上部位置（筒軸芯方向一側部位置）に、斜下方（前方下方）へ向けて斜めに傾けて取り付けられており、第１反射部材３を介して反射される反射光の反射領域Ｒ外に配置されて（図９参照）、反射光の経路を遮ることのないように配置されている。
【００５４】
この障蔽部材１７は第１光投射口１０ａの上半分を覆うように配置されており、該障蔽部材１７と照明手段２とは、前後方向（第１光投射口１０ａの奥行方向）でラップするように配置されて、照明器具１を後方（第１光投射口１０ａ側）から見たときに、該障蔽部材１７によって照明手段２の大部分が隠され、また、筐体１０内の構造体が露骨に見えないように構成されている。
このような構成で筐体２の背面は、視覚を通じて美感を起こさせるように構成されて、デザイン性の向上が図られている。
【００５５】
さらに、障蔽部材１７によって、光源２０から照射される主要光以外の洩れ光の一部が遮られ、仮に歩行者が照明器具１の背面に回ることがあっても、主要光以外の洩れ光が歩行者の目の位置にグレアとして射さないように構成されている。
【００５６】
また、図２及び図６に示すように、筐体１０内には安定器６の前方（第２光投射口１０ｂ側）に第２反射部材４が設けられている。この第２反射部材４は筐体１０内の前半部における上下中央部（筒軸芯方向中央部）から下端部（筒軸芯方向他側端部）にかけて設けられており、該第２反射部材の両側には掩蔽部材１８・１８が設けられている。この第２反射部材４は略扇状に曲成されており、該第２反射部材４の反射面４ｂは前面（第２光投射口１０ｂ側の側面）に配置されて、凸曲面で形成されている。
図９に示すように、この第２反射部材４は前記の集光領域Ｄ外に配置されて、前記光源２０から照射される主要光以外の洩れ光を第２光投射口１０ｂへ向けて反射するように構成されている。
【００５７】
図２及び図６に示すように、この第２反射部材４と、前記第２光投射口１０ｂとは、前後方向（第２光投射口１０ｂの奥行方向）でラップするように配置されており、このため、第２光投射口１０ｂ側にいる人からは、該第２光投射口１０ｂを通じて、第２反射部材４とその両側の掩蔽部材１８・１８とだけが見えるようになっていて、該第２反射部材４と該掩蔽部材１８・１８とにより筐体１０内の第１反射部材３等の構造体が見えないように隠されている。
このような構成で筐体２の前面も、視覚を通じて美感を起こさせるように構成されて、デザイン性の向上が図られている。
【００５８】
なお、図６に示すように、本実施の形態では、第２反射部材４の上端位置と、第２光投射口１０ｂの上端位置とを略同じ高さ位置として構成しているが、第２光投射口１０ｂ側にいる人から筐体１０内の構造体が見えない範囲で、該第２反射部材４の上端位置を、該第２光投射口１０ｂの上端位置よりも低くして、あるいは、高くして構成してもよい。
【００５９】
以上のような構成で、照明器具１は、筒状の筐体１０内の上部（筒軸芯方向一側部）に設けられた単一の光源２０と、該光源２０の下方（筒軸芯方向他側）以外の周囲に設けられて、該光源２０から放射される光を筐体１０の下方（筒軸芯方向他側）へ向けて集光する集光部材２１とを具備した照明手段２と、該筐体１０の背部（筒軸芯周りの一側部）に設けられた第１光投射口１０ａと、該筐体１０の前部（筒軸芯周りの他側部）に設けられた第２光投射口１０ｂと、該集光部材２１により集光される光の集光領域Ｄ内に配置されて、該光源２０から照射される直接光の光軸Ｌ方向の成分と、該光源２０から該集光部材２１を介して集光される間接光とから成る主要光を、該第１光投射口１０ａへ向けて反射する第１反射部材３と、該集光領域Ｄ外に配置されて、該光源２０から照射される主要光以外の洩れ光を該第２光投射口１０ｂへ向けて反射する第２反射部材４と、を備えている。
【００６０】
図９及び図１０に示すように、この照明器具１では、光源２０から全方位・全方向に放射される光は、集光部材２１を介して全て斜下方（後方下方）へ集光され、この光源２０から照射される直接光の光軸Ｌ方向の成分と、光源２０から集光部材２１を介して集光される間接光とから成る主要光は、第１反射部材３で斜上方（後方上方）へ反射されて、樹木５０等へ向けて投射されるように構成されている。すなわち、光源２０から全方位・全方向に放射される光の大部分は主要光としてそのまま樹木５０等に向けて照射されて、該樹木５０等が明るく照らされ、また、このとき該光源２０から照射される主要光以外の洩れ光は第２反射部材４で反射されて、歩行者の足元がやわらかく照らされるように構成されている。
【００６１】
図１１の平面視で示すように、この光源２０から照射される主要光以外の洩れ光は、凸曲面で形成された第２反射部材４の反射面４ｂによって、比較的広範囲に向けて拡散するように反射され、歩行者の目の位置に反射するグレアが抑制されて、まぶしくないように構成されている。
さらに言えば、照明手段２は斜下方へ向けて照射するように配置されて、歩行者からは直接、光源２０が見えないように構成されており、また、第２反射部材４の反射面４ｂで反射される洩れ光は、斜上方には反射しないように構成されて、歩行者の目の位置にグレアが射さないように構成されている。
【００６２】
本実施の形態では、照明器具１の筒軸芯から角度θの範囲内で洩れ光が照射されるように構成されており、すなわち、この範囲は、第２光投射口１０ｂが形成されている範囲内であって、該第２光投射口１０ｂを筒円周方向に拡大するとともに、該第２反射部材４の反射面４ｂの面積を筒円周方向で拡大することで、より一層広範囲に、洩れ光を照射することもできる。
【００６３】
以上のように、本発明の照明器具１は、光源２０からの主要光によって、専ら樹木２０を照らすとともに、このとき該光源２０から照射される直接光の光軸Ｌ方向以外の成分である洩れ光を利用して、歩行者の足元をやわらかく照らすことで、異なる２方向を効率良く照らすことができ、該光源２０の出力（ワット数）を低く抑えることができて、消費電力が低減され、省エネルギー化を図ることができる。
この結果、ランニングコストが下がり、コスト的にも有利となる。
【００６４】
また、図１２に示すように、この照明器具１の筐体１０は下方（筒軸芯方向他側）が開口した筒状の構成で、該筐体１０を本体の基部１１に対して上方（筒軸芯方向一側）から嵌め込み、該筐体１０と該本体とをボルト等で締結固定することで、容易に組み付けることができるようになっている。
このように筐体１０は、照明器具１の本体に対して着脱自在に構成されており、光源２０の電球交換等容易に行うことができて、メンテナンス性の向上が図られている。
【００６５】
なお、この照明器具１は天地逆（上下逆）にして設置したり、横に寝かせた状態で設置するように構成してもよいものとし、設置の仕方については、特に限定はしないものとする。
【００６６】
次に、上述した照明器具１とは、若干構成が異なる照明器具１ａについて図１４〜図１７を用いて説明する。
この照明器具１ａは、上記照明器具１と比較して内部の構造が簡略化されており、クリプトンレフ球等の光源となる照明手段２より発せられる光を透過することが可能な光透過部材の一例であるセードを具備する構造を有するものである。
具体的に、図１４及び図１５を用いて、照明器具１ａの外観及び内部の概略構成について説明する。
尚、図１４（ａ）は照明器具１ａを正面から見た正面図であり、図１４（ｂ）は照明器具１ａを右側面から見た右側面図である。
図１５は、図１４（ｂ）に示す右側面図に基づいて、発する光の照射範囲の概略をハッチングで図示したものである。
また、上記図１４（ａ）・（ｂ）は、図面に向かって左半分が照明器具１ａの外観を示し、右半分が照明器具１ａの内部を透視した状態を示している。
上記１５についても基本的に左半分が照明器具１ａの外観を示し、右半分が照明器具１ａの内部を透視した状態を示しているが、一部（照明範囲と第３反射部材６４）に関しては、図１４（ｂ）との対応と理解の容易化を図るために、透視した状態を示している。
【００６７】
照明器具１ａの構成の大略は、図１４及び図１５に示すように、上記光透過部材の一例であるセード６３と、該セード６３の上部側を閉塞するためのヘッドキャップ６１と、光源となる照明手段２の一例であるクリプトンレフ球６２と、該クリプトンレフ球６２より発光された光を反射するための第３反射部材６４と、を具備するものである。
また、セード６３よりも径が大きく無色透明な外セード６５が設けられており、該外セード６５は、その上部側においてヘッドキャップ６１と嵌合し、下部側においては、照明器具１ａが搭載する部材の基部となるアダプタ６６と嵌合する。
この外セード６５は、上述したセード６３等の部材を外部から隔離する役目を担うものであり、主に止水目的に設けられるものであり、その素材を無色透明とすることで内側のセード６３の形状や発光する光の色合いを直接的に外部より鑑賞することを可能にしている。
【００６８】
セード６３は、樹脂若しくはガラス等の光を透過することが可能な光透過部材の一例であって、筒状の形状を有するものである。
更に、筒状のセード６３の外側の側面にリブ状（波型形状）の凹凸を規則的に形成しても良い。
また、セード６３は、光を透過することは可能であるが、照明器具１ａの内部が外部から直接的に見えないような、表面処理を施した擦りガラス、又は、乳白色のアクリル等の樹脂若しくは乳白色のガラス等の曇り（消し）状態のものであることが望ましい。
これにより、照明器具１ａの美感を損なうことなく、照明手段より発せられた光を外部へ照射できる。
即ち、このセード６３は、上記外セード６５とは異なって無色透明でなく、例えば、白色又はクリーム色等の半透明加工されたもの、又は、半透明材料よりなるものであってもよい。
更に、筒状の形状を有するセード６３の正面側の側面（筒軸心周りの一側部）に、第３光投射口６７を設ける。
この第３光投射口６７は、図１４及び図１５に示すように、セード６３の正面側の側面（筒軸心周りの一側部）に、上下方向を長軸方向とする長孔、又は、単に円上の孔、となる開口部である。
勿論、第３光投射口６７は、開口とすることなく、例えば、開口の場合と同様の効果を奏する無色透明のガラス若しくは樹脂等で形成されるものであっても良い。
したがって、この第３光投射口６７は、クリプトンレフ球６２から発せられた光や、第３反射部材６４等によって反射された光が直接的に外部へ照射される箇所となる。
【００６９】
クリプトンレフ球６２は、既に上述した光源である照明手段２の一例であって、フィラメント等の光源から発光された光の配光性を、一般的な電球等と比較して良好にしたものである。
具体的には、クリプトンレフ球６２の内面には、既に上述した照明手段２における集光部材２１と同様に内部の光源から発せられた光を集光するための集光部材６２ａが塗布、貼付、又は蒸着されている。
したがって、クリプトンレフ球６２より発せられる光の配光性は、一般的な電球等よりも制御されて良好になっている。
このクリプトンレフ球６２は、図１４及び図１５に示すように、電力を供給するためのソケット７１に螺合又は嵌合される形態で、照明器具１ａの内部に設けられている。
このソケット７１は、アダプタ６６に立設される支持フレーム７３の上端部側（筒軸心方向一側部）に設けられるアングル７２に固設されている。
また、上記支持フレーム７３は、図１４及び図１５には直接表示されていないが、照明器具１の場合における側部フレーム（図７等参照）のように、照明器具１ａ中心軸（一点鎖線）を対称に２本設けられるものであっても良い。
このように構成されているので、光源である照明手段２の一例であるクリプトンレフ球６２は、照明器具１ａの上部側に設けられ、該クリプトンレフ球６２より発光される光が、照明器具１ａの下部方向を照射するようにソケット７１に取り付けられている。
尚、照明手段２における光源としてはクリプトンレフ球６２の他に、例えば、一般的な電球等を用いてもよい。
この場合においては、クリプトンレフ球６２と同様に配光性を奏するように、電球の周囲（上述の場合においては、主に上部）に別途反射板等を配設することによって実現しても良い。
【００７０】
アダプタ６６の略中央部には、略Ｕ字形状のアングル７４が固設されており、このアングル７４の開放側の両端部側には孔が形成されている。
更に、第３反射部材６４の側面に形成される孔と、上記アングル７４の孔と、を重ね合わせて螺子７５等によって締結することによって、アングル７４に第３反射部材６４を固定させることが可能となる。
他方、該螺子７５による締結を緩めることによって、アダプタ６６に固設されるアングル７４に対して、第３反射部材６４の角度を変化させることが可能となる。
また、この第３反射部材６４については、例えば図１６に示すように、２面の反射面６４ａと反射面６４ｂとを具備する形状のものであっても良い。
この２面の反射面６４ａ・６４ｂには、何れも凹部となる反射面が形成されている。
この反射面６４ａと反射面６４ｂとを比較した場合、例えば、凹部の凹みの深さが深い方を反射面６４ａとし、他方、凹みの深さが浅い方を反射面６４ｂとしても良い。
この場合、凹みが深い反射面６４ａを光を散光（拡散）用の散光面、他方、凹みが浅い反射面６４ｂを光を集光するための散光面としても良い。
このように構成されているので、第３反射部材６４をアングル７４上で回動させることによって２つの反射面６４ａ・６４ｂの何れか一つを選択して、クリプトンレフ球６２より発せられた光を反射することが可能となる。
また、第３反射部材６４を回動させることによって、該第３反射部材６４を所望の角度（図１４（ｂ）の点線表記）で螺子７５で締結して固定することで、クリプトンレフ球６２から発せられた光を、上記第３光投射口へ向けて反射させることが可能となる。
【００７１】
上述のように概略構成された照明器具１ａは、以下に示すようにして、クリプトンレフ球６２より発せられた光を外部へ照射する。
上記図９を用いて説明した照明手段２の場合と同様に、図１５に示すように、クリプトンレフ球６２より発せられる主要光Ｇ（実線ハッチング部分）は、主として、第３反射部材６４の反射面６４ａ若しくは反射面６４ｂで反射され、その反射光Ｇ１は第３光投射口６７を経由して外部上方を照射する。
即ち、クリプトンレフ球６２より発せられた主要光Ｇは、照明器具１ａの上方を照射する。
他方、クリプトンレフ球６２より発せられる光のうち、上記主要光Ｇ以外の残りの漏れ光Ｈ（点線ハッチング部分）は、主として、上記セード６３を透過して直接的に外部下方を照射する。
即ち、クリプトンレフ球６２より発せられた漏れ光Ｈは、照明器具１ａの下方を照射する。
【００７２】
上述のように構成されているので、照明器具１ａは、既に上述した照明器具１における筐体１０のように器具本体の側面の大半を透過性のないもので覆わず、光の透過性のあるセード６３を用いているので、照明器具１ａの下方を照射する漏れ光Ｈによって、例えば、照明器具１ａの近傍を歩く歩行者の足元を明るくすることが可能となる。
他方、照明器具１ａの上方を照射する反射光Ｇ１は、照明器具１における主要光の反射光の場合と同様に、照明器具１ａの上方を照射するものであるので、例えば、照明器具１ａの近傍に設けられる樹木やオブジェ等を照射することが可能となる。
【００７３】
また、上記反射光Ｇ１は、第３反射部材６４に設けられる２つの反射面のうち、例えば、反射面６４ａで反射された場合は散光（拡散）され、反射面６４ｂで反射された場合は集光されることになる。
即ち、第３光投射口６７から外部を照射する反射光Ｇ１は、照明器具１ａの使用者の好みや目的に応じて、該反射光を散光又は集光するかを、２つの反射面を選択を選択することによって可能としているので、多彩な照明効果を演出することが可能となる。
一般的に知られている傾向として、クリプトンレフ球６２の種類等が異なると、配光が若干変化するため、その変化を抑制したい場合は、散光用の反射面６４ａが選択されることによって、該配光の変化を抑制することが可能となる。
【図面の簡単な説明】
【００７４】
【図１】照明器具１の左側面図。
【図２】同じく正面図。
【図３】同じく背面図。
【図４】同じく平面図。
【図５】同じく底面図。
【図６】同じく左側面断面図。
【図７】同じく背面断面図。
【図８】集光領域Ｄを説明するための照明器具１の左側面断面図。
【図９】主要光と洩れ光の照射方向を説明する照明器具１の左側面断面図。
【図１０】同じく左側面図。
【図１１】同じく平面図。
【図１２】照明器具１の本体と筐体１０との取り外しを説明する図。
【図１３】第１反射部材３の回動機構の構成を示す左側面図。
【図１４】照明器具１ａを正面、及び右側面から見た概略構成図。
【図１５】照明器具１ａにおける光の照射範囲の概略を示した照射範囲図。
【図１６】第３反射部材６４の概略構成を示した概略構成図。
【符号の説明】
【００７５】
１    照明器具
２    照明手段
３    第１反射部材
４    第２反射部材
１０    筐体
１０ａ  第１光投射口
１０ｂ  第２光投射口
２０    光源
２１    集光部材
３１    回動支点軸
５０    樹木
６２    クリプトンレフ球
６３    セード
６４    第３反射部材
６７    第３光投射口
【図１】
2005005254.tif 000003
【図２】
2005005254.tif 000004
【図３】
2005005254.tif 000005
【図４】
2005005254.tif 000006
【図５】
2005005254.tif 000007
【図６】
2005005254.tif 000008
【図７】
2005005254.tif 000009
【図８】
2005005254.tif 000010
【図９】
2005005254.tif 000011
【図１０】
2005005254.tif 000012
【図１１】
2005005254.tif 000013
【図１２】
2005005254.tif 000014
【図１３】
2005005254.tif 000015
【図１４】
2005005254.tif 000016
【図１５】
2005005254.tif 000017
【図１６】
2005005254.tif 000018